(57)【要約】【課題】本構成を有しない場合に比べて安価に、意図しない電源の切断から電力の供給が回復した場合に電源の切断前の電源モードで復帰する機能を有した電気機器を提供する。【解決手段】制御部１２は、複数の電源モードのそれぞれによって可動部１１の待機位置を異ならせておく。電気機器への電力の供給が停止した後に電力の供給が回復した際には、判定部１３は、可動部１１の位置によって電力の供給が停止した際の電源モードを判定し、復帰制御部１４は、判定部１３で判定した電源モードで復帰する制御を行う。例えば、電力の供給が回復した際に、可動部１１が節電する電源モードの待機位置にあると判定部１３で判定した場合には、復帰制御部１４は節電する電源モードに復帰する制御を行う。【選択図】図１
2014176067.tif 000002
【特許請求の範囲】
【請求項１】
複数の電源モードのそれぞれによって可動部材の待機位置を異ならせておく部材制御手段と、電力の供給が停止した後に電力が供給された際に前記可動部材の位置によって電源が切断された際の電源モードを判定する判定手段と、判定した電源モードで復帰する復帰手段を有することを特徴とする電気機器。
【請求項２】
前記可動部材は、光学的に画像を読み取る画像入力手段に設けられたキャリッジであることを特徴とする請求項１に記載の電気機器。
【請求項３】
前記判定手段は、前記キャリッジが予め決められた位置に存在するか否かにより電源モードを判定することを特徴とする請求項２に記載の電気機器。
【請求項４】
前記判定手段は、前記キャリッジと予め決められた位置との距離により電源モードを判定することを特徴とする請求項２に記載の電気機器。
【請求項５】
前記可動部材はローラであり、前記判定手段は、ローラの回転位置によって電源モードを判定することを特徴とする請求項１に記載の電気機器。
【請求項６】
前記可動部材はベルトであり、前記判定手段は、ベルトが停止している位置によって電源モードを判定することを特徴とする請求項１に記載の電気機器。
【請求項７】
コンピュータに、請求項１から請求項６のいずれか１項に記載の電気機器の機能を実行させるものであることを特徴とする電気機器制御プログラム。
【発明の詳細な説明】
【技術分野】
【０００１】
本発明は、電気機器及び電気機器制御プログラムに関するものである。
【背景技術】
【０００２】
旧来、電気機器の電源制御は、例えばスイッチなどによって物理的に電力の供給を行うか遮断するかを切り替えていた。しかし近年では、操作者が電源スイッチの操作によって電源の切断や投入を指示し、その指示に従ってソフトウェアあるいは回路において電源の入切を切り替える方法も利用されている。例えば電源スイッチが押しボタンで構成されている場合などでは、電源の切断も投入もボタンを押す操作となる。この場合、電源スイッチの状態では電源が投入された状態なのか切断された状態なのかは分からない。
【０００３】
また、従来は電源を切断すると電気機器には電力が供給されなかったが、近年では様々な電源機能を有するものがある。例えば、部分的に電力を供給しておいて動作開始までの時間を機器全体の電源を切断した場合に比べて短縮する節電モードがある。より具体的には、電源が供給されている際にソフトウエアを初期化して主記憶に記憶させておいて、そのまま主記憶についての電力の供給を維持したまま他への電力供給を切断する。動作を再開する際には、ソフトウェアの初期化などが済んでおり、動作開始までの時間は機器全体の電源を切断した場合に比べて短縮される。このような節電モードのほかにも、部分的に使用されていない箇所が存在する場合に当該箇所に電力の供給を停止し、電力供給を続ける場合に比べて使用される電力を低減する節電モードなど、種々の電源管理の方法がある。
【０００４】
このように、電源が投入されて電力が供給されている状態、電源が切断されて電力の供給が遮断された状態、あるいはさらに節電状態など、いくつかの電源モードが利用されている。いくつかの電源モードのいずれかで動作している際に、停電などで意図しない電力供給の停止が生じることがある。このような場合、電力の供給が再開された際には、電力供給が停止する前の電源モードに復帰することが期待される。例えば、通常の動作中に電力供給が停止した場合、再開後は通常の動作に戻ることが期待される。また、節電モードで動作中に電力供給が停止した場合には、再開後は節電モードに戻ることが期待される。
【０００５】
電力の供給が再開した場合に、電力供給が停止する前の電源モードで復帰する技術として、例えば特許文献１では、現在の電源モードを状態記憶部に記憶させておき、電力の供給が再開された際に記憶されている電源モードを読み出して，記憶されていた電源モードに復帰している。また、特許文献２では、電源ＯＮ状態か電源ＯＦＦ状態かを記憶させておき、電力供給が再開された際に記憶していた状態が電源ＯＮ状態であれば、停電などで電力供給が停止したものと判断している。いずれの場合も、動作状態を記憶手段に記憶させておくが、この場合の記憶手段は電力が供給されていなくても記憶している必要がある。このような不揮発性の記憶手段は揮発性の記憶手段に比べて高価であり、電気機器の価格に影響してしまう。
【先行技術文献】
【特許文献】
【０００６】
【特許文献１】特開２００７−２４３５４７号公報
【特許文献２】特開２０１２−１７５４９６号公報
【発明の概要】
【発明が解決しようとする課題】
【０００７】
本発明は、本構成を有しない場合に比べて安価に、意図しない電源の切断から電力の供給が回復した場合に電源の切断前の電源モードで復帰する機能を有した電気機器を提供することを目的とするものである。
【課題を解決するための手段】
【０００８】
本願請求項１に記載の発明は、複数の電源モードのそれぞれによって可動部材の待機位置を異ならせておく部材制御手段と、電力の供給が停止した後に電力が供給された際に前記可動部材の位置によって電源が切断された際の電源モードを判定する判定手段と、判定した電源モードで復帰する復帰手段を有することを特徴とする電気機器である。
【０００９】
本願請求項２に記載の発明は、本願請求項１に記載の発明における前記可動部材が、光学的に画像を読み取る画像入力手段に設けられたキャリッジであることを特徴とする電気機器である。
【００１０】
本願請求項３に記載の発明は、本願請求項２に記載の発明における前記判定手段が、前記キャリッジが予め決められた位置に存在するか否かにより電源モードを判定することを特徴とする電気機器である。
【００１１】
本願請求項４に記載の発明は、本願請求項２に記載の発明における前記判定手段が、前記キャリッジと予め決められた位置との距離により電源モードを判定することを特徴とする電気機器である。
【００１２】
本願請求項５に記載の発明は、本願請求項１に記載の発明における前記可動部材はローラであり、前記判定手段は、ローラの回転位置によって電源モードを判定することを特徴とする電気機器である。
【００１３】
本願請求項６に記載の発明は、本願請求項１に記載の発明における前記可動部材はベルトであり、前記判定手段は、ベルトが停止している位置によって電源モードを判定することを特徴とする電気機器である。
【００１４】
本願請求項７に記載の発明は、コンピュータに、請求項１から請求項６のいずれか１項に記載の電気機器の機能を実行させるものであることを特徴とする電気機器制御プログラムである。
【発明の効果】
【００１５】
本願請求項１に記載の発明によれば、本構成を有しない場合に比べて安価に、意図しない電源の切断から電力の供給が回復した場合に電源の切断前の電源モードで復帰することができるという効果がある。
【００１６】
本願請求項２に記載の発明によれば、画像入力装置にもともと設けられているキャリッジを利用して電源モードの制御を行うことができる。
【００１７】
本願請求項３に記載の発明によれば、キャリッジが存在する位置で電源モードの制御を行うことができる。
【００１８】
本願請求項４に記載の発明によれば、キャリッジの位置により複数の電源モードのいずれであるかを判定することができる。
【００１９】
本願請求項５に記載の発明によれば、ローラが設けられている機器では、そのローラを用いて電源モードの制御を行うことができる。
【００２０】
本願請求項６に記載の発明によれば、ベルトが設けられている機器では、そのベルトを用いて電源モードの制御を行うことができる。
【００２１】
本願請求項７に記載の発明によれば、本願請求項１から請求項６のいずれか１項に記載の発明の効果を得ることができる。
【図面の簡単な説明】
【００２２】
【図１】本発明の実施の一形態を示す構成図である。
【図２】画像読取装置の一例の概略を示す断面図である。
【図３】電力供給停止後に電力供給が回復した場合の動作の一例を示す流れ図である。
【図４】画像読取装置の一例における電源モード判定の別の例の説明図である。
【図５】本発明の実施の一形態で説明した機能をコンピュータプログラムで実現した場合におけるコンピュータプログラム及びそのコンピュータプログラムを格納した記憶媒体とコンピュータの一例の説明図である。
【発明を実施するための形態】
【００２３】
図１は、本発明の実施の一形態を示す構成図である。図中、１１は可動部、１２は制御部、１３は判定部、１４は復帰制御部である。ここでは、様々な電気機器について本発明の実施の一形態に関する構成を部分的に示している。本発明の実施の一形態で想定する電気機器では、電源の管理は回路あるいはソフトウェアによって行うものとする。例えば操作者が電源スイッチの操作によって電源の切断や投入を指示した場合に、その指示に従ってソフトウェアあるいは回路において電源の入切（電力が供給された電源モードと電力の供給が停止した電源モード）を切り替えるものとする。もちろんこのほかにも、節電状態の電源モードなど、種々の電源モードが存在し、それらの電源モードを回路あるいはソフトウェアによって管理してもよい。
【００２４】
可動部１１は、電気機器内に設けられ、物理的に動く部材を含んで構成されている。可動部１１の動作は、直線動作でも、回転動作でも、もちろんさらに複雑な動作であってもよい。この可動部１１は、電源モードの管理以外の目的で設けられ、用いられるものであってよい。
【００２５】
制御部１２は、可動部１１を含む種々の制御を行うものであり、複数の電源モードのそれぞれによって可動部１１の待機位置を異ならせておく機能を有している。
【００２６】
判定部１３は、電気機器への電力の供給が停止した後に電力が供給された際に、可動部１１の位置によって電源が切断された際の電源モードを判定する。例えば、可動部１１が予め決められた位置に存在するか否かにより電源モードを判定するほか、可動部１１と予め決められた位置との距離により電源モードを判定してもよい。また、１次元的な位置のほか、２次元あるいは３次元的な位置、回転位置など、種々の位置を判定に使用してもよい。
【００２７】
復帰制御部１４は、電気機器への電力の供給が停止した後に電力が供給された際に、判定部１３で判定した電源モードで復帰する制御を行う。例えば、電力の供給が回復した際に判定部１３が通常の電源モードであると判定した場合には、通常の電源モードで動作するように制御を行う。また、例えば判定部１３によって電源モードが節電モードであると判定された場合には、節電モードに復帰するように制御を行う。
【００２８】
以下、いくつかの具体例について説明する。まず第１の具体例として、電気機器が画像読取装置であるか、画像読取装置を含んでいる場合について説明する。この場合の画像読取装置は、光学センサあるいは光学系が搭載されたキャリッジを移動させて原稿面の画像を光学的に読み取る、従来から用いられている方式のものであるとする。このような構成では、可動部１１としてキャリッジを利用するとよい。
【００２９】
図２は、画像読取装置の一例の概略を示す断面図である。図中、２１はキャリッジ、２２は白基準板、２３は位置センサ、２４はガラス板、２５は原稿である。画像読取装置では、一般に、電源が投入されると初期化の処理を行う。この初期化の処理の一つとして、補正値の取得がある。この補正値の取得には、図２（Ａ）に示すようにキャリッジ２１を白基準板２２と対向させて配置し、白基準板２２の白を読み取って補正値を算出する。
【００３０】
初期化の後は、図２（Ｂ）に示すようにキャリッジ２１をガラス板２４と対向する位置に配置し、ガラス板２４に載置される原稿２５の大きさの検知を行う。さらに読取の指示に従って、キャリッジ２１を移動させながら原稿面の画像を読み取る。
【００３１】
さらに、電源を切断する指示がなされた場合には、再び電源が投入された際に白基準板２２の白を読み取ることから、図２（Ａ）に示すようにキャリッジ２１を白基準板２２と対向させた位置に合わせておく。制御部１２では、この例では上述のようなキャリッジ２１の制御を行うことになる。
【００３２】
位置センサ２３は、キャリッジ２１の有無を検知するものである。この例では白基準板２２の位置に設けられており、キャリッジ２１が白基準板２２と対向する位置にあれば、位置センサ２３はキャリッジ２１の存在を検知する。
【００３３】
このような構成においては、指示を受けて電源を切断した場合には図２（Ａ）に示すようにキャリッジ２１を白基準板２２と対向させた位置に、また、電源が投入された後に通常の状態（通常の電源モード）で動作する際には、図２（Ｂ）に示すようにキャリッジ２１はガラス板２４と対向する位置にあるとよい。このようなキャリッジ２１の位置は、画像を読み取る動作に起因するものであるが、これを判断部１３における電源モードの判断に利用する。
【００３４】
図３は、電力供給停止後に電力供給が回復した場合の動作の一例を示す流れ図である。指示により電源を切断し、その後に指示により電源が投入された場合には上述の初期化を行って通常の動作を行えばよい。しかし、例えば停電などで予期せず電力の供給が停止してしまう場合がある。この場合、電力の供給が回復した際には、電力供給が停止する前の状態に戻ることが望まれる。
【００３５】
電力の供給が停止した後に電力の供給が回復した際には、装置としては電力の供給が回復したことを検出して動作を開始する。Ｓ１において、判定部１３は電力の供給が停止する前の電源モードを判定する。この画像読取装置の例では、指示により電源を切断した場合には、キャリッジ２１は白基準板２２と対向する位置にあるが、通常の動作中に電力の供給が停止した場合には、キャリッジ２１はガラス板２４と対向する位置にあることが想定される。このようなキャリッジ２１の位置の違いを検出し、電力の供給が停止する前の電源モード、この例では指示を受けて電源を切断した状態であったのか、あるいは通常の動作中であったのかを判定部１３で判定する。
【００３６】
キャリッジ２１の位置の検出は、位置センサ２３によってキャリッジ２１が検出されたか否かを判断すればよい。位置センサ２３がキャリッジ２１を検出すれば、キャリッジ２１は白基準板２２と対向する位置にあると判断すればよい。また、位置センサ２３がキャリッジ２１を検出しなければ、キャリッジ２１は白基準板２２と対向する位置にはなく、例えばガラス板２４と対向する位置にあると判断すればよい。このような位置センサ２３によるキャリッジ２１の検出結果をもとに、判定部１３は電力の供給が停止する前の電源モードを判定すればよい。
【００３７】
復帰制御部１４は、判定部１３による判定結果を受け取り、その判定結果をもとに電力の供給が停止する前の電源モードに復帰するように制御を行う。Ｓ２において、電力供給の停止前には電源を切断した状態であったか否かを判定する。例えば、電力供給の停止前には通常の動作を行っていた場合には、Ｓ３において、動作を復旧する処理を行って通常の動作が行われる状態に復帰する。また、例えば電力供給の停止前に電源を切断した状態であった場合には、電力の供給が回復しても通常の動作状態には戻らず、Ｓ４において、電源を切断した状態に復帰する。
【００３８】
このようにして、予期しない電力の供給停止が生じた場合でも、キャリッジ２１の位置によって電力供給の停止前の電源モードを判定し、その電源モードとなるように復帰する。キャリッジ２１や位置センサ２３などは画像読取装置にもともと設けられているものであり、部材の追加などを行わずに電源モードの制御が行われることになる。
【００３９】
図４は、画像読取装置の一例における電源モード判定の別の例の説明図である。上述の説明では、通常の動作を行う電源モードと電源を切断した状態とする電源モードのいずれであるかを判定部１３で判定したが、電源モードとしてはこのほかにも節電状態の電源モードなどの別の電源モードが存在する場合もある。このような３以上の電源モードを有する場合、それぞれの電源モードにおける待機状態でのキャリッジ２１の位置を、それぞれの電源モードに対応した位置に配置しておくとよい。
【００４０】
例えば、電源を切断した状態の電源モードでは、図４（Ａ）に示すように位置センサ２３がキャリッジ２１を検出する位置とする。そして、このほかの電源モードに対応するキャリッジ２１の位置を、位置センサ２３がキャリッジ２１を検出しないそれぞれ異なる位置とする。例えば図４（Ｂ）、（Ｃ）に示すように、位置センサ２３からの距離が異なる位置にキャリッジ２１が配置されるようにする。上述のように通常の動作を行う電源モードでは、ガラス板２４に載置される原稿２５の大きさを検出する位置にキャリッジ２１を配置する。この場合のキャリッジ２１を配置する位置を図４（Ｃ）とする。節電モードなど、電源を切断した状態の電源モード及び通常の動作を行う電源モードとは異なる電源モードでは、位置センサ２３が検出せず、通常の動作を行う電源モードにおけるキャリッジ２１の位置とは異なる位置、例えば図４（Ｂ）に示す位置などにキャリッジ２１を配置するとよい。
【００４１】
電力の供給が停止した後、電力の供給が回復した場合には、判定部１３でキャリッジ２１の位置を調べて電力の供給が停止する前の電源モードを判定する。例えば、図４（Ａ）に示す位置にキャリッジ２１が存在していれば位置センサ２３によってキャリッジ２１が検出され、電源を切断した状態の電源モードであると判定される。また、図４（Ｂ）、（Ｃ）に示す位置にキャリッジ２１が存在している場合には、位置センサ２３ではキャリッジ２１の存在は検出されない。その場合には、位置センサ２３がキャリッジ２１を検出するまでキャリッジ２１を移動させ、移動に要した時間や駆動手段の回転、駆動に要したパルス数などから、キャリッジ２１が存在していた位置と位置センサ２３との距離を推定する。その距離によって、キャリッジ２１が図４（Ｂ）と図４（Ｃ）のいずれの位置に存在していたかを把握して、対応する電源モードを判定すればよい。例えば図４（Ｂ）に示す位置では図４（Ｃ）に示す位置に比べて位置センサ２３までの距離が短く、逆に図４（Ｃ）に示す位置では図４（Ｂ）に示す位置に比べて位置センサ２３までの距離が長いことから、それぞれ対応する電源モード、例えば通常の動作を行う電源モードなのか節電モードなのかが判定されることになる。
【００４２】
復帰制御部１４は、判定部１３が判定した電源モードへの復帰を制御する。例えば、判定部１３が通常の動作を行う電源モードであると判定した場合には、通常の動作を行う電源モードへの復旧の処理を行う。また、判定部１３が節電状態の電源モードであると判定した場合には、節電状態の電源モードへの復旧の処理を行う。さらに、判定部１３が電源を切断した状態の電源モードであると判定した場合には、電源を切断した状態へ復帰する。なお、通常の動作を行う電源モードや節電状態の電源モードへ復帰する際には、この例ではキャリッジ２１を移動させて電源モードを判定していることから、キャリッジ２１をそれぞれの電源モードに対応した位置へ移動させておくとよい。
【００４３】
このように、キャリッジ２１の位置を電源モードによって異ならせておけば、３以上の電源モードが存在する場合であっても、停電などの意図しない電源の切断により電力の供給が停止した後に電力の供給が回復すれば、電力供給が停止する前の電源モードに復帰することになる。
【００４４】
図４に示した各電源モードにおけるキャリッジ２１の位置は一例であって、この例に限られるものではない。また、電源モードも上述の３つの電源モードに限らず、４以上の電源モードが存在する場合であってもよく、上述の例ではキャリッジ２１の待機位置を異ならせておけばよい。さらに、上述の例では位置センサ２３を用いてキャリッジ２１の位置を特定しているが、他のセンサを用いてもよいし、あるいは、キャリッジ２１の位置に応じた読取信号が得られる構成であれば、読取信号からキャリッジ２１の位置を特定するなど、他の方法を用いてキャリッジ２１の位置を特定するように構成してもよい。
【００４５】
画像読取装置では、図２，図４に示したキャリッジ２１を移動させながら画像を読み取る方式とともに、原稿を移動させて読み取る方式も利用されている。原稿を移動させて読み取る方式では、原稿を搬送する機構部を有しており、その機構部を電源モードの判定に利用してもよい。例えば、原稿のピックアップローラや搬送ローラなどの待機状態での回転角を電源モードに応じて異ならせておき、予め決められた回転位置となるまでの回転角、例えば回転に要した駆動回路へのパルス数などで電源モードを判定すればよい。ローラ以外にも、ローラに動力を伝達しているギアやベルトなどでもよいし、このような原稿の搬送以外の可動部を利用してもよい。
【００４６】
本発明の実施の一形態は、画像読取装置以外にも適用してよい。例えば画像形成装置あるいは画像形成装置を含む装置でも可動部を有しており、この可動部を利用して電源モードを判定してもよい。例えば液体噴射式の画像形成装置であれば、やはりキャリッジの位置を電源モードにより異ならせておけばよい。また、電子写真方式のカラー画像形成装置であれば、記録媒体の搬送ベルトや中間転写体などが停止している位置を電源モードによって異ならせておくとよい。あるいは、感光体の回転位置などを利用してもよい。いずれの画像形成方式でも用紙等の記録媒体を搬送する機構を有しており、この搬送機構、例えばローラやベルトなどを電源モードの判定に利用してもよい。また、画像形成前の記録媒体を保持しておくスタッカに上下動させる駆動機構を有していたり、画像形成後の記録媒体を堆積させ、あるいは排出先を変更する排紙機構を有しているなど、他の機構部を有している場合には、それらの機構部を電源モードの判定に利用してもよい。もちろん、画像読取装置や画像形成装置に限らず、可動部を有する様々な電気機器において、意図しない電源の切断から復帰した場合に可動部を利用して電源モードの判定を行い、電源切断前の電源モードに復帰させればよい。
【００４７】
図５は、本発明の実施の一形態で説明した機能をコンピュータプログラムで実現した場合におけるコンピュータプログラム及びそのコンピュータプログラムを格納した記憶媒体とコンピュータの一例の説明図である。図中、４１はプログラム、４２はコンピュータ、５１は光磁気ディスク、５２は光ディスク、５３は磁気ディスク、５４はメモリ、６１はＣＰＵ、６２は内部メモリ、６３は読取部、６４はハードディスク、６５はインタフェース、６６は通信部である。
【００４８】
上述の本発明の実施の一形態として説明した可動部１１を除く各部の機能の全部あるいは部分的に、コンピュータが実行するプログラム４１によって実現してもよい。その場合、そのプログラム４１およびそのプログラムが用いるデータなどは、コンピュータによって読み取られる記憶媒体に記憶させておけばよい。記憶媒体とは、コンピュータのハードウェア資源に備えられている読取部６３に対して、プログラムの記述内容に応じて、磁気、光、電気等のエネルギーの変化状態を引き起こして、それに対応する信号の形式で、読取部６３にプログラムの記述内容を伝達するものである。例えば、光磁気ディスク５１、光ディスク５２（ＣＤやＤＶＤなどを含む）、磁気ディスク５３、メモリ５４（ＩＣカード、メモリカード、フラッシュメモリなどを含む）等である。もちろんこれらの記憶媒体は、可搬型に限られるものではない。
【００４９】
これらの記憶媒体にプログラム４１を格納しておき、例えばコンピュータ４２の読取部６３あるいはインタフェース６５にこれらの記憶媒体を装着して、コンピュータからプログラム４１を読み出し、内部メモリ６２またはハードディスク６４（磁気ディスクやシリコンディスクなどを含む）に記憶し、ＣＰＵ６１によってプログラム４１を実行し、上述の本発明の実施の一形態として説明した可動部１１を除く各部の機能が全部又は部分的に実現される。あるいは、通信路を介してプログラム４１をコンピュータ４２に転送し、コンピュータ４２では通信部６６でプログラム４１を受信して内部メモリ６２またはハードディスク６４に記憶し、ＣＰＵ６１によってプログラム４１を実行して実現してもよい。
【００５０】
なお、可動部の制御はインタフェース６５を通じて、あるいはバスに接続されたコントローラに対して行えばよく、また、センサからの情報の取得についてもインタフェース６５あるいはバスを通じて取得すればよい。もちろんこのほかにも、様々な装置がインタフェース６５を介して、あるいはバスに接続されていてもよい。
【符号の説明】
【００５１】
１１…可動部、１２…制御部、１３…判定部、１４…復帰制御部、２１…キャリッジ、２２…白基準板、２３…位置センサ、２４…ガラス板、２５…原稿、４１…プログラム、４２…コンピュータ、５１…光磁気ディスク、５２…光ディスク、５３…磁気ディスク、５４…メモリ、６１…ＣＰＵ、６２…内部メモリ、６３…読取部、６４…ハードディスク、６５…インタフェース、６６…通信部。
【図１】
2014176067.tif 000003
【図２】
2014176067.tif 000004
【図３】
2014176067.tif 000005
【図４】
2014176067.tif 000006
【図５】
2014176067.tif 000007